(57)【要約】【課題】良好な電力線搬送通信を行うことができる電力線搬送通信システムを提供する。【解決手段】分波混合器２２は、アンテナ１により受信されたテレビ信号を同軸線路を介して受信し、受信したテレビ信号と、ＰＬＣモデムにより変調されたＰＬＣ信号とを重畳し、重畳信号を生成する。分配器２３は、第１の分波混合器により重畳された重畳信号を同軸線路を介して受信し、受信した重畳信号を分配する。分波混合器３１は、分配器２３により分配された重畳信号を同軸線路を介して受信し、受信した重畳信号をテレビ信号及びＰＬＣ信号に分波し、分波したテレビ信号を同軸線路を介してテレビ受像機６に出力する。ＰＬＣモデム４は、分波混合器３１により分波されたＰＬＣ信号を復調して端末装置５に出力する。【選択図】図１
2008131303.tif 000002
【特許請求の範囲】
【請求項１】
テレビ信号を受信するテレビ信号受信部と、
所定のネットワークを介して送信された通信データを受信し、通信データを変調し、ＰＬＣ信号を生成する第１のＰＬＣモデムと、
前記テレビ信号受信部により受信されたテレビ信号を同軸線路を介して受信し、受信したテレビ信号と、前記第１のＰＬＣモデムにより生成されたＰＬＣ信号とを重畳し、重畳信号を生成する第１の分波混合器と、
前記第１の分波混合器により生成された重畳信号を同軸線路を介して受信し、受信した重畳信号を分配する分配器と、
前記分配器により分配された重畳信号を同軸線路を介して受信し、受信した重畳信号をテレビ信号及びＰＬＣ信号に分波し、分波したテレビ信号を同軸線路を介してテレビ受像機に出力する第２の分波混合器と、
前記第２の分波混合器により分波されたＰＬＣ信号を復調して第１の端末装置に出力する第２のＰＬＣモデムとを備えることを特徴とする電力線搬送通信システム。
【請求項２】
前記第２のＰＬＣモデムは、前記第１の端末装置から出力された通信データを変調してＰＬＣ信号を生成し、
前記第２の分波混合器は、前記第２のＰＬＣモデムにより生成されたＰＬＣ信号とテレビ信号とを重畳して重畳信号を生成し、
前記第１の分波混合器は、前記第２の分波混合器により生成された重畳信号を前記分配器を介して受信し、受信した重畳信号をテレビ信号及びＰＬＣ信号に分波し、分波したＰＬＣ信号を前記第１のＰＬＣモデムに出力し、
前記第１のＰＬＣモデムは、前記第１のＰＬＣ信号を復調して前記ネットワークに出力することを特徴とする請求項１に記載の電力線搬送通信システム。
【請求項３】
前記第１の分波混合器から前記テレビ信号受信部側にＰＬＣ信号が流れることを阻止するブロッキングフィルタを備えることを特徴とする請求項１又は２に記載の電力線搬送通信システム。
【請求項４】
分電盤からの電力を電力コンセントを介して前記第２のＰＬＣモデムに供給する第１の線路と、
前記第１の線路において前記電力コンセント及び前記分電盤間に配置された分岐点と、前記第２の分波混合器とを接続する第２の線路と、
前記第１の線路において前記分岐点及び前記分電盤間に配置され、前記分電盤側へのＰＬＣ信号の漏洩を阻止する第２のブロッキングフィルタとを更に備えることを特徴とする請求項１乃至３項のいずれか１項に記載の電力線搬送通信システム。
【請求項５】
前記テレビ信号受信部は、テレビ信号を受信するアンテナと、前記アンテナ及び前記第１の分波混合器間に配設され、テレビ信号を増幅するブースタとを備えることを特徴とする請求項１又は２に記載の電力線搬送通信システム。
【請求項６】
前記テレビ信号受信部は、ケーブルテレビ放送局から送信されるケーブルテレビ下り信号が入力されると共に、ケーブルテレビ上り信号をケーブルテレビ放送局に出力するブースタを備え、
前記ブースタにより出力されたケーブルテレビ下り信号を前記第１の分波混合器に出力する第１のバイパス装置と、
前記第２の分波混合器とケーブルモデムを介して接続された第２の端末装置と、
前記第２の分波混合器及び前記ケーブルモデム間に接続された第２のバイパス装置と、
前記第１及び第２のバイパス装置間を接続するバイパス線路とを更に備え、
前記第２のバイパス装置は、前記第２の端末装置から前記ケーブルモデムを介して出力されるケーブルテレビ上り信号を前記バイパス線路に出力し、
前記第１のバイパス装置は、前記第２のバイパス装置から出力されたケーブルテレビ上り信号を前記ブースタに出力することを特徴とする請求項１又は２に記載の電力線搬送通信システム。
【請求項７】
前記第１の端末装置は第１の無線装置を含み、
前記第２の分波混合器により分波されたＰＬＣ信号を無線信号に変換し、前記第１の無線装置に出力する第２の無線装置とを備えることを特徴とする請求項１項乃至６項のいずれか１項に記載の電力線搬送通信システム。
【発明の詳細な説明】
【技術分野】
【０００１】
本発明は、オフィスや住宅等の屋内に配線された電力線及び放送用同軸線を利用してデータ通信を行うための電力線搬送通信システムに関するものである。
【背景技術】
【０００２】
近年、オフィスや住宅においても複数台のコンピュータを繋いだローカルエリアネットワーク（ＬＡＮ）が急速に普及している。このようなＬＡＮにおいては、コンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して給電用の屋内配線（電力線）を利用してデータ通信を行う電力線搬送通信（Power Line Communication :PLC)が採用される場合もある。
【０００３】
特許文献１には、別途に電気情報伝送線を建築物内に配線しなくても、情報必要電気器具に電気情報信号を伝送することを目的として（段落［０００９］等）、居宅又は事業所等の建築物に於ける電力供給線と、建築物の内方及び又は外方の電気情報伝送線とを結合し、電力供給線を経て、建築物内の各所に電力を供給するほか、電気情報伝送線から電力供給線に伝達された電気情報信号をも伝送する電力供給及び電気情報伝送の一元化処理方式が開示されている（請求項１等）。
【特許文献１】特開２００１−２５８０８１号公報
【発明の開示】
【発明が解決しようとする課題】
【０００４】
しかしながら、ＰＬＣに用いられる電力線（特許文献１では電力供給線）は、本来通信路として敷設されたものではないため、配線形態（トポロジー）が規定されておらず伝送特性が保証できない。また、電力線に接続される電気機器がＰＬＣ信号帯域（例えば、高速のＰＬＣ信号の周波数帯域である２〜３０ＭＨｚ）でノイズを発生することや、電気機器のインピーダンスがＰＬＣ信号帯域で低いことなど通信線路としては充分な性能を有していない。
【０００５】
本発明の目的は、良好な電力線搬送通信を行うことができる電力線搬送通信システム及び分波混合器を提供することである。
【課題を解決するための手段】
【０００６】
本発明による電力線搬送通信システムは、テレビ信号を受信するテレビ信号受信部と、所定のネットワークを介して送信された通信データを受信し、通信データを変調し、ＰＬＣ信号を生成する第１のＰＬＣモデムと、前記テレビ信号受信部により受信されたテレビ信号を同軸線路を介して受信し、受信したテレビ信号と、前記第１のＰＬＣモデムにより生成されたＰＬＣ信号とを重畳し、重畳信号を生成する第１の分波混合器と、前記第１の分波混合器により生成された重畳信号を同軸線路を介して受信し、受信した重畳信号を分配する分配器と、前記分配器により分配された重畳信号を同軸線路を介して受信し、受信した重畳信号をテレビ信号及びＰＬＣ信号に分波し、分波したテレビ信号を同軸線路を介してテレビ受像機に出力する第２の分波混合器と、前記第２の分波混合器により分波されたＰＬＣ信号を復調して第１の端末装置に出力する第２のＰＬＣモデムとを備えることを特徴とする（請求項１）。
【０００７】
この構成によれば、第１の分波混合器により、テレビ信号と、前記第１のＰＬＣモデムにより変調されたＰＬＣ信号とが重畳されて、重畳信号が生成される。そして、分配器により、重畳信号が分配され、第２の分波混合器により、重畳信号がテレビ信号及びＰＬＣ信号に分波され、分波されたテレビ信号がテレビ受像機に出力される。そして、第２の分波混合器により分波されたＰＬＣ信号が第２のＰＬＣモデムにより復調され第１の端末装置に出力される。
【０００８】
すなわち、第１のＰＬＣモデムにより受信されたＰＬＣ信号はテレビ信号に重畳され、重畳信号とされるが、この重畳信号は同軸線路上を流れるため、電力線と比較して通信線として優れた同軸線路を用いてＰＬＣ信号を伝送することが可能となり、良好な電力線搬送通信を実現することができる。
【０００９】
また、前記第２のＰＬＣモデムは、前記第１の端末装置から出力された通信データを変調し、ＰＬＣ信号を生成し、前記第２の分波混合器は、前記第２のＰＬＣモデムにより生成されたＰＬＣ信号とテレビ信号とを重畳して重畳信号を生成し、前記第１の分波混合器は、前記第２の分波混合器により生成された重畳信号を前記分配器を介して受信し、受信した重畳信号をテレビ信号及びＰＬＣ信号に分波し、分波したＰＬＣ信号を前記第１のＰＬＣモデムに出力し、前記第１のＰＬＣモデムは、前記第１のＰＬＣ信号を復調して前記ネットワークに出力することが好ましい（請求項２）。
【００１０】
この構成によれば、第１の端末装置から出力された通信データは、第２のＰＬＣモデムによりＰＬＣ信号に変調され、第２のＰＬＣモデムにより変調されたＰＬＣ信号とテレビ信号とは、第２の分波混合器により重畳されて重畳信号とされ、第１の分波混合器により重畳信号がテレビ信号及びＰＬＣ信号に分波され、分波されたＰＬＣ信号は、第１のＰＬＣモデムにより復調されネットワークに出力される。そのため、第１の端末装置から出力される通信データをＰＬＣにより良好に送信することができる。
【００１１】
また、前記第１の分波混合器から前記テレビ信号受信部側にＰＬＣ信号が流れることを阻止するブロッキングフィルタを備えることが好ましい（請求項３）。
【００１２】
この構成によれば、第１の分波混合器から前記テレビ信号受信部側にＰＬＣ信号が流れることを阻止することができ、前記テレビ信号受信部として例えばアンテナを採用した場合において、アンテナからＰＬＣ信号が空中に輻射することを防止することができる。
【００１３】
また、分電盤からの電力を電力コンセントを介して前記第２のＰＬＣモデムに供給する第１の線路と、前記第１の線路において前記電力コンセント及び前記分電盤間に配置された分岐点と、前記第２の分波混合器とを接続する第２の線路と、前記第１の線路において前記分岐点及び前記分電盤間に配置され、前記分電盤側へのＰＬＣ信号の漏洩を阻止する第２のブロッキングフィルタとを更に備えることが好ましい（請求項４）。
【００１４】
この構成によれば、分電盤側へのＰＬＣ信号の漏洩を阻止することができる。
【００１５】
また、前記テレビ信号受信部は、テレビ信号を受信するアンテナと、前記アンテナ及び前記第１の分波混合器間に配設され、テレビ信号を増幅するブースタとを備えるが好ましい（請求項５）。
【００１６】
この構成によれば、ブースタの出力インピーダンスが高いため、アンテナ及び第１の分波混合器間にブロッキングフィルタを設けなくともアンテナからＰＬＣ信号が空中に輻射することを防止することができる。
【００１７】
また、前記テレビ信号受信部は、ケーブルテレビ放送局から送信されるケーブルテレビ下り信号が入力されると共に、ケーブルテレビ上り信号をケーブルテレビ放送局に出力するブースタを備え、前記ブースタにより出力されたケーブルテレビ下り信号を前記第１の分波混合器に出力する第１のバイパス装置と、前記第２の分波混合器とケーブルモデムを介して接続された第２の端末装置と、前記第２の分波混合器及び前記ケーブルモデム間に接続された第２のバイパス装置と、前記第１及び第２のバイパス装置間を接続するバイパス線路とを更に備え、前記第２のバイパス装置は、前記第２の端末装置から前記ケーブルモデムを介して出力されるケーブルテレビ上り信号を前記バイパス線路に出力し、前記第１のバイパス装置は、前記第２のバイパス装置から出力されたケーブルテレビ上り信号をケーブルテレビ放送局側に出力することが好ましい（請求項６）。
【００１８】
この構成によれば、ケーブルテレビ上り信号が、テレビ信号とは別経路のバイパス線路を流れてテーブルテレビ放送局側へ流れるため、ケーブルテレビ上り信号と、ＰＬＣ信号との混信を防止することができる。
【００１９】
また、前記第１の端末装置は第１の無線装置を含み、前記第２の分波混合器により分波されたＰＬＣ信号を無線信号に変換し、前記第１の無線装置に出力する第２の無線装置とを備えることが好ましい（請求項７）。
【００２０】
この構成によれば、第２の分波混合器により分波されたＰＬＣ信号を無線によって第１の端末装置に送信することができる。
【発明の効果】
【００２１】
本発明によれば、良好な電力線搬送通信を行うことができる。
【発明を実施するための最良の形態】
【００２２】
以下、本発明の実施の形態について図面を参照しつつ説明するが、各図において同一の符号を付したものは、同じものを表している。
【００２３】
（実施の形態１）
図１は、本発明の実施の形態１による電力線搬送通信システムの全体構成図を示している。電力線搬送通信システムは、アンテナ１（テレビ信号受信部）、情報盤２、コンセントボックス３、ＰＬＣモデム４（第２のＰＬＣモデム）、端末装置５（第１の端末装置）、及び分電盤８を備えている。情報盤２は、ＰＬＣモデム２１（第１のＰＬＣモデム）、分波混合器２２（第１の分波混合器）、及び分配器２３を備えている。コンセントボックス３は、分波混合器３１（第２の分波混合器）、テレビ信号用コンセント３２、及び電力コンセント３３を備えている。
【００２４】
アンテナ１及び分波混合器２２間、分波混合器２２及び分配器２３間、分配器２３及び分波混合器３１間、分波混合器３１及びテレビ信号用コンセント３２間、並びにテレビ信号用コンセント３２及びテレビ受像機６間は同軸線路により接続されている。同軸線路は、テレビ信号の伝送に用いられる特性インピーダンスが７５Ωの同軸線路である。
【００２５】
ＰＬＣモデム２１、分電盤８、及び分波混合器２２間は電力線路により接続されている。分電盤８、分波混合器３１、電力コンセント３３、及びＰＬＣモデム４間は電力線路により接続されている。ＰＬＣモデム２１及び所定のネットワーク（例えば、インターネット７）間、並びにＰＬＣモデム４及び端末装置間はＬＡＮケーブルにより接続されている。
【００２６】
アンテナ１は、テレビ信号を受信する。ＰＬＣモデム２１は、インターネット７を介して送信された通信データを受信し、受信した通信データを変調し、ＰＬＣ信号を生成する。また、ＰＬＣモデム２１は、分波混合器２２により分波されたＰＬＣ信号を復調してインターネット７に出力する。
【００２７】
分波混合器２２は、アンテナ１により受信されたテレビ信号を同軸線路を介して受信し、受信したテレビ信号と、ＰＬＣモデム２１により生成されたＰＬＣ信号とを重畳し、重畳信号を生成する。また、分波混合器２２は、分波混合器３１により生成された重畳信号を分配器２３を介して受信し、受信した重畳信号をテレビ信号及びＰＬＣ信号に分波し、分波したＰＬＣ信号をＰＬＣモデム２１に出力する。
【００２８】
図２（ａ）は、分波混合器２２の詳細な構成を示すブロック図である。図２（ａ）に示すように分波混合器２２は、端子Ｔ１１〜Ｔ１３、バラン２２１、及びローパスフィルタ２２２を備えている。端子Ｔ１１はアンテナ１と接続され、端子Ｔ１２はＰＬＣモデム２１及び分電盤８と接続され、端子Ｔ１３は分配器２３と接続されている。
【００２９】
ローパスフィルタ２２２は、線路Ｌ１１を介して端子Ｔ１１と接続されている。また、ローパスフィルタ２２２は、線路Ｌ１１上における分岐点Ｐ１１に接続された線路Ｌ１２を介して端子Ｔ１３と接続されている。分岐点Ｐ１１及び端子Ｔ１２間にローパスフィルタ２２２及びバラン２２１がこの順で直列接続されている。バラン２２１は、電力線路と同軸線路とを絶縁すると共に、信号を平衡伝送から不平衡伝送に変換する。ローパスフィルタ２２２は、７０ＭＨｚ以上の信号を減衰させ、７０ＭＨｚ以下の信号を通過させる特性を有し、２ＭＨｚ〜３０ＭＨｚのＰＬＣ信号を端子Ｔ１２に流し、７０ＭＨｚ〜７７０ＭＨｚのテレビ信号が端子Ｔ１２に流れることを阻止する。
【００３０】
分配器２３は、分波混合器２２により重畳された重畳信号を同軸線路を介して受信し、受信した重畳信号を分配する。具体的には、分配器２３には、複数本の同軸線路Ｄ１１〜Ｄ１４が接続され、分波混合器２２から出力された重畳信号を同軸線路Ｄ１１〜Ｄ１４に分配する。なお、図１では、同軸線路Ｄ１１にのみコンセントボックス３が接続されているが、実際には、同軸線路Ｄ１２〜Ｄ１４の各々にもコンセントボックス３が接続されている。
【００３１】
分波混合器３１は、分配器２３により分配された重畳信号を同軸線路を介して受信し、受信した重畳信号をテレビ信号及びＰＬＣ信号に分波し、分波したテレビ信号を同軸線路を介してテレビ信号用コンセント３２に出力する。また、分波混合器３１は、ＰＬＣモデム４により生成されたＰＬＣ信号とテレビ信号とを重畳して重畳信号を生成し、分配器２３に出力する。
【００３２】
図２（ｂ）は、分波混合器３１の詳細な構成を示すブロック図である。図２（ｂ）に示すように分波混合器３１は、端子Ｔ２１〜Ｔ２３、バラン３１１及びハイパスフィルタ３１２を備えている。端子Ｔ２１は分配器２３と接続され、端子Ｔ２２は分電盤８及び電力コンセント３３と接続され、端子Ｔ２３はテレビ信号用コンセント３２と接続されている。
【００３３】
ハイパスフィルタ３１２は、端子Ｔ２１及び端子Ｔ２３間に接続されている。バラン３１１は、端子Ｔ２１及び端子Ｔ２２間に接続されている。バラン３１１は、電力線路と同軸線路とを絶縁すると共に、信号を平衡伝送から不平衡伝送に変換する。ハイパスフィルタ３１２は、７０ＭＨｚ以上の信号を通過させ、７０ＭＨｚ以下の信号を減衰させる特性を有し、７０ＭＨｚ〜７７０ＭＨｚのテレビ信号を端子Ｔ２３に流し、２ＭＨｚ〜３０ＭＨｚのＰＬＣ信号が端子Ｔ２３に流れることを阻止する。
【００３４】
テレビ信号用コンセント３２は、テレビ受像機６と分波混合器３１とを接続するためのコンセントである。電力コンセント３３は、家庭用電気機器が備える電源プラグが接続される家庭用のコンセントである。
【００３５】
ＰＬＣモデム４は、分波混合器３１により分波されたＰＬＣ信号を復調して通信データとして端末装置５に出力する。また、ＰＬＣモデム４は、端末装置５から出力された通信データをＰＬＣ信号に変調し、電力コンセント３３を介して分波混合器３１に出力する。
【００３６】
端末装置５は、ＰＬＣモデム４とＬＡＮケーブルを介して接続されたパーソナルコンピュータから構成され、通信データを送受信する。分電盤８は、ブレーカ等を含み、商用電力をＰＬＣモデム２１，４等に供給する。
【００３７】
次に、図１に示す電力線搬送通信システムにおいて、端末装置５が通信データを受信する際の動作について説明する。まず、アンテナ１がテレビ信号を受信すると共に、ＰＬＣモデム２１がインターネット７を介して送信された通信データを変調し、ＰＬＣ信号を生成する。次に、分波混合器２２は、アンテナ１により受信されたテレビ信号と、ＰＬＣモデム２１により変調されたＰＬＣ信号とを重畳し、重畳信号を生成する。次に、分配器２３は、分波混合器２２により生成された重畳信号を分配する。次に、分波混合器３１は、分配器２３により分配された重畳信号をテレビ信号及びＰＬＣ信号に分波し、分波したテレビ信号を、テレビ信号用コンセント３２を介してテレビ受像機６に出力する。次に、ＰＬＣモデム４は、分波混合器３１により分波されたＰＬＣ信号を復調し、端末装置５に出力する。
【００３８】
次に、図１に示す電力線搬送通信システムにおいて、端末装置５が通信データを送信する際の動作について説明する。まず、端末装置５は、通信データをＰＬＣモデム４に出力する。次に、ＰＬＣモデム４は、端末装置５から出力された通信データを変調し、ＰＬＣ信号を生成する。次に、分波混合器３１は、ＰＬＣモデム４により生成されたＰＬＣ信号を、電力コンセント３３を介して受信し、受信したＰＬＣ信号をテレビ信号に重畳し、重畳信号を生成する。次に、分波混合器２２は、分波混合器３１により生成された重畳信号を、分配器２３を介して受信し、受信した重畳信号をテレビ信号及びＰＬＣ信号に分波する。次に、ＰＬＣモデム２１は、分波されたＰＬＣ信号を復調し、インターネット７に出力する。
【００３９】
このように、本実施の形態による電力線搬送通信システムによれば、ＰＬＣモデム２１により受信されたＰＬＣ信号はテレビ信号に重畳され、重畳信号とされるが、この重畳信号は同軸線路上を流れるため、電力線路と比較して通信線として優れた同軸線路を用いてＰＬＣ信号を伝送することが可能となり、良好な電力線搬送通信を実現することができる。
【００４０】
（実施の形態２）
次に、本発明の実施の形態２による電力線搬送通信システムについて説明する。図３は、実施の形態２による電力線搬送通信システムの全体構成図を示している。実施の形態２による電力線搬送通信システムは、実施の形態１による電力線搬送通信システムにおいて、アンテナ１及び分波混合器２２間に、ブロッキングフィルタ２４（第１のブロッキングフィルタ）を設けたことを特徴とする。
【００４１】
ブロッキングフィルタ２４は、分波混合器２２からアンテナ１側にＰＬＣ信号が流れることを阻止する。図４はブロッキングフィルタ２４の詳細な構成を示した図である。図４に示すようにブロッキングフィルタ２４は、ハイパスフィルタ２４１から構成されている。ハイパスフィルタ２４１は、２〜３０ＭＨｚのＰＬＣ信号を阻止し、７０ＭＨｚ〜７７０ＭＨｚのテレビ信号を通過させる特性を有するハイパスフィルタである。
【００４２】
このように、実施の形態２による電力線搬送通信システムによれば、アンテナ１及び分波混合器２２間に、ブロッキングフィルタ２４を設けたため、アンテナ１側にＰＬＣ信号が流れることを防止することができ、アンテナ１からＰＬＣ信号が空中に輻射することを防止することができる。
【００４３】
（実施の形態３）
次に、実施の形態３による電力線搬送通信システムについて説明する。図５は、実施の形態３による電力線搬送通信システムの全体構成図を示している。実施の形態３による電力線搬送通信システムは、実施の形態２による電力線搬送通信システムにおいて、ブロッキングフィルタ２４に代えて、ブースタ２５（テレビ信号受信部）を配置し、分電盤８及びＰＬＣモデム２１間にブロッキングフィルタ２６を配置すると共に、分電盤８及び電力コンセント３３間にブロッキングフィルタ３４（第２のブロッキングフィルタ）を配置したことを特徴とする。
【００４４】
ブースタ２５は、アンテナ１により受信されたテレビ信号を増幅して分波混合器２２ａに出力するＴＶ信号用のブースタである。
【００４５】
ブロッキングフィルタ２６は、ＰＬＣモデム２１により生成されたＰＬＣ信号及び分波混合器２２により分波されたＰＬＣ信号が分電盤８側へ漏洩することを阻止する。図６（ｂ）はブロッキングフィルタ２６の詳細な構成を示した図である。図６（ｂ）に示すようにブロッキングフィルタ２６は、ハイカットフィルタＨＣＦ（High Cut Filter)から構成されている。ハイカットフィルタＨＣＦは、ＡＣ信号（５０Ｈｚ，６０Ｈｚ）を通過させ、ＰＬＣ信号を減衰させる特性を有する。
【００４６】
ブロッキングフィルタ３４は、ＰＬＣモデム４により生成されたＰＬＣ信号及び分波混合器３１により分波されたＰＬＣ信号が分電盤８側へ漏洩することを阻止する。なお、ブロッキングフィルタ３４は、ブロッキングフィルタ２６同様、図６（ｂ）に示すハイカットフィルタＨＣＦにより構成される。
【００４７】
電力線路Ｌ３１は、分電盤８からの電力を電力コンセント３３を介してＰＬＣモデム４に供給する。分岐点Ｐ３１は、電力線路Ｌ３１において、電力コンセント３３及び分電盤８間に配置されている。電力線路Ｌ３２は、分岐点Ｐ３１と分波混合器３１ａとを接続する。ブロッキングフィルタ３４は、電力線路Ｌ３１において分岐点Ｐ３１及び分電盤８間に配置されている。
【００４８】
図６（ａ）は分波混合器２２ａの詳細な構成を示す図である。図６（ａ）に示すように分波混合器２２ａは、図２（ａ）に示す分波混合器２２において、端子Ｔ１１（第１の端子）及び端子Ｔ１３（第３の端子）間にハイパスフィルタ３１２を配置した構成を有している。また、端子Ｔ１３はブースタ２５に接続され、端子Ｔ１２（第２の端子）はＰＬＣモデム２１及びブロッキングフィルタ２６に接続され、端子Ｔ１１は分配器２３に接続されている。ここで、図６（ａ）に示すハイパスフィルタ３１２は、図２（ｂ）に示すハイパスフィルタ３１２と同一である。また、ハイパスフィルタ３１２及びローパスフィルタ２２２は、重畳部の一例に相当する。
【００４９】
分波混合器２２ａを図６（ａ）のように構成すると、分波混合器２２ａと分波混合器３１ａとを同一構成にすることができる。
【００５０】
すなわち、分波混合器３１ａは、図２（ｂ）に示す分波混合器３１において、端子Ｔ１１及びバラン３１１間にローパスフィルタ２２２を配置した構成となる。そして、図６（ａ）のように分波混合器２２ａ，３１ａを構成し、端子Ｔ１３をブースタ２５に接続し、端子Ｔ１２をＰＬＣモデム２１に接続し、端子Ｔ１１を分配器２３に接続すると共に、端子Ｔ２１を分配器２３に接続し、端子Ｔ２２を電力コンセント３３に接続し、端子Ｔ２３をテレビ信号用コンセント３２に接続することで、図２（ａ）、（ｂ）に示す分波混合器２２，３１と同様の作用を奏することができるため、分波混合器２２ａ，３１ａを共用することができ、低コスト化を図ることができる。
【００５１】
このように、実施の形態３による電力線搬送通信システムによれば、ブロッキングフィルタ２６，３４を備えるため、分電盤８側にＰＬＣ信号が漏洩することを防止することができる。また、ブースタ２５を備えており、ブースタ２５の出力側のインピーダンスは高いため、ＰＬＣ信号がアンテナ１側に流れることを阻止することができ、図３のようにブロッキングフィルタ２４を設けなくともアンテナ１からＰＬＣ信号が空中に輻射することを防止することができる。なお、ブースタ２５として、アンテナ１により受信されたテレビ信号が入力されるものに代えて、テーブルテレビ放送局から送信されるテレビ信号が入力されるものを採用してもよい。
【００５２】
（実施の形態４）
次に、実施の形態４による電力線搬送通信システムについて説明する。図７は、実施の形態４による電力線搬送通信システムの全体構成図を示している。実施の形態４による電力線搬送通信システムは、実施の形態３による電力線搬送通信システムにおいて、情報盤２がバイパス装置２７（第１のバイパス装置）を備え、コンセントボックス３がバイパス装置３５（第２のバイパス装置）を備え、ブースタ２５にアンテナ１からのテレビ信号ではなく、ケーブルテレビ放送局から送信されるケーブルテレビ下り信号が入力されることを特徴とする。
【００５３】
ブースタ２５（テレビ信号受信部）は、ケーブルテレビ放送局から送信されるケーブルテレビ下り信号が入力され、入力されたケーブルテレビ下り信号を増幅すると共に、ケーブルテレビ上り信号を増幅してケーブルテレビ放送局に出力する。
【００５４】
バイパス装置２７は、ブースタ２５により出力されたケーブルテレビ下り信号を分波混合器２２ａに出力すると共に、バイパス装置３５からバイパス線路１１を介して出力されたケーブルテレビ上り信号を、ブースタ２５を介してケーブルテレビ放送局に出力する。
【００５５】
図８はバイパス装置２７の詳細な構成を示す図である。図８に示すように、バイパス装置２７は、端子Ｔ３１〜Ｔ３３、ハイパスフィルタ２７１、及びローパスフィルタ２７２を備えている。端子Ｔ３１はブースタ２５に接続され、端子Ｔ３２はバイパス線路１１に接続され、端子Ｔ３３は分波混合器２２ａに接続されている。ハイパスフィルタ２７１は、端子Ｔ３１及び端子Ｔ３３間に接続され、７０ＭＨｚ以上の信号を通過させ、５５ＭＨｚ以下の信号を減衰させる特性を有し、端子Ｔ３１に入力されたケーブルテレビ下り信号を端子Ｔ３３に流すと共に、端子Ｔ３２に入力されたケーブルテレビ上り信号が端子Ｔ３３に流れることを阻止する。
【００５６】
ローパスフィルタ２７２は、端子Ｔ３１及び端子Ｔ３２間に接続され、５５ＭＨｚ以下の信号を通過させ、７０ＭＨｚ以上の信号を減衰させる特性を有し、端子Ｔ３２に入力されたケーブルテレビ上り信号を端子Ｔ３１に流し、端子Ｔ３１に入力されたケーブルテレビ下り信号が端子Ｔ３２に流れることを阻止する。
【００５７】
バイパス装置３５は、分波混合器３１ａ及びテレビ信号用コンセント３２間に接続され、端末装置１０からケーブルモデム９及びテレビ信号用コンセント３２を介して出力されるケーブルテレビ上り信号をバイパス線路１１に出力する。
【００５８】
図８はバイパス装置３５の詳細な構成を示す図である。なお、図８において括弧内の記号がバイパス装置３５を示している。図８に示すように、バイパス装置３５は、端子Ｔ４１〜Ｔ４３、ハイパスフィルタ３５１、及びローパスフィルタ３５２を備えている。
【００５９】
端子Ｔ４１はテレビ信号用コンセント３２を介してケーブルモデム９に接続され、端子Ｔ４２はバイパス線路１１に接続され、端子Ｔ４３は分波混合器３１ａに接続されている。ハイパスフィルタ３５１は、端子Ｔ４１及び端子Ｔ４３間に接続され、ハイパスフィルタ２７１と同じ特性を有するハイパスフィルタであり、端子Ｔ４３に入力されたケーブルテレビ下り信号を端子Ｔ４１に流すと共に、端子Ｔ４１に入力されるケーブルテレビ上り信号が端子Ｔ４３に流れることを阻止する。
【００６０】
ローパスフィルタ３５２は、端子Ｔ４１及び端子Ｔ４２間に接続され、ローパスフィルタ２７２と同じ特性を有するローパスフィルタであり、端子Ｔ４１に入力されたケーブルテレビ上り信号を端子Ｔ４２に流し、端子Ｔ４３に入力されたケーブルテレビ下り信号が端子Ｔ４２に流れることを阻止する。
【００６１】
図９は、ＰＬＣ信号、ケーブルテレビ上り信号、及びケーブルテレビ下り信号の周波数特性を示している。図９に示すように、ＰＬＣ信号の周波数帯域は２ＭＨｚ〜３０ＭＨｚであり、ケーブルテレビ上り信号の周波数帯域は１０ＭＨｚ〜５５ＭＨｚであるため、両信号は、１０ＭＨｚ〜３０ＭＨｚの帯域が重なっている。そのため、ＰＬＣ信号で通信を行う端末装置５とケーブルテレビ上り信号で通信を行う端末装置１０とを併設し、両信号を同一の線路に流すと、両信号が混信し、良好な通信を行うことができなくなる虞がある。そこで、本実施の形態では、ケーブルテレビ上り信号のうち３０ＭＨｚ以上の帯域をバイパス線路１１に流し、ＰＬＣ信号とケーブルテレビ上り信号とが同じ線路に流れないようにして、両信号による良好な通信を実現している。
【００６２】
端末装置１０（第２の端末装置）は、パーソナルコンピュータから構成され、ケーブルモデム９を介してテレビ信号用コンセント３２に接続され、通信データを送受信する。
【００６３】
ケーブルモデム９は、ＬＡＮケーブルを介して端末装置１０と接続されると共に、同軸線路を介してテレビ信号用コンセント３２に接続され、端末装置１０から送信される通信データを変調してケーブルテレビ上り信号を生成し、テレビ信号用コンセント３２に出力すると共に、テレビ信号用コンセント３２から出力されるケーブルテレビ下り信号を復調し、通信データとして端末装置１０に出力する。
【００６４】
バイパス線路１１はテレビ信号の伝送に用いられる同軸線路から構成され、バイパス装置２７及びバイパス装置３５間に接続される。
【００６５】
以上説明したように本実施の形態による電力線搬送通信システムによれば、ケーブルテレビ上り信号が、テレビ信号とは別経路のバイパス線路を流れてテーブルテレビ放送局側へ流れるため、ケーブルテレビ上り信号と、ＰＬＣ信号との混信を防止することができる。
【００６６】
（実施の形態５）
次に、実施の形態５による電力線搬送通信システムについて説明する。図１０は、実施の形態５による電力線搬送通信システムの全体構成図を示している。実施の形態５による電力線搬送通信システムは、端末装置５が無線により通信データを送受信することを特徴とする。
【００６７】
図１０に示すように実施の形態５による電力線搬送通信システムは、実施の形態１の電力線搬送通信システムにおいて、分波混合器２２及びアンテナ１間にブースタ２５が接続され、分波混合器３１に無線装置３６（第２の無線装置）が接続され、端末装置５が無線装置５１（第１の無線装置）を含む構成を有している。
【００６８】
無線装置３６は、分波混合器３１により分波されたＰＬＣ信号を無線信号に変換し、無線装置５１に出力する。ここで、無線装置３６は、超広帯域無線技術であるＵＷＢ（Ultra Wide Band）による無線通信（例えば応用したワイヤレスＵＳＢ）や、無線ＬＡＮ（ＩＥＥＥ８０２．１１ａ等）の通信方式に従って、無線信号を送受信する。無線装置５１は、無線装置３６と同一の通信方式に従って、無線信号を送受信する。
【００６９】
このように実施の形態５による電力線搬送通信システムによれば、端末装置５は無線によって通信データを送受信することができる。
【図面の簡単な説明】
【００７０】
【図１】本発明の実施の形態１による電力線搬送通信システムの全体構成図を示している。
【図２】（ａ）は、分波混合器２２の詳細な構成を示すブロック図であり、（ｂ）は、分波混合器３１の詳細な構成を示すブロック図である。
【図３】実施の形態２による電力線搬送通信システムの全体構成図を示している。
【図４】ブロッキングフィルタの詳細な構成を示した図である。
【図５】実施の形態３による電力線搬送通信システムの全体構成図を示している。
【図６】（ａ）は分波混合器の詳細な構成を示す図であり、（ｂ）はブロッキングフィルタの詳細な構成を示した図である。
【図７】実施の形態４による電力線搬送通信システムの全体構成図を示している。
【図８】バイパス装置の詳細な構成を示す図である。
【図９】ＰＬＣ信号、ケーブルテレビ上り信号、及びケーブルテレビ下り信号の周波数特性を示している。
【図１０】実施の形態５による電力線搬送通信システムの全体構成図を示している。
【符号の説明】
【００７１】
１  アンテナ
２  情報盤
３  コンセントボックス
４  ＰＬＣモデム
５  端末装置
６  テレビ受像機
７  インターネット
８  分電盤
９  ケーブルモデム
１０  端末装置
１１  バイパス線路
２１  ＰＬＣモデム
２２，２２ａ  分波混合器
３１，３１ａ  分波混合器
２３  分配器
２４，２６，３４  ブロッキングフィルタ
２５  ブースタ
２７，３５  バイパス装置
３２  テレビ信号用コンセント
３３  電力コンセント
３６  無線装置
５１  無線装置
２２１，３１１  バラン
２２２，２７２，３５２  ローパスフィルタ
２４１，２７１，３１２，３５１  ハイパスフィルタ
Ｄ１１〜Ｄ１４  同軸線路
Ｌ１１，Ｌ１２  線路
Ｌ３１，Ｌ３２  電力線路
【図１】
2008131303.tif 000003
【図２】
2008131303.tif 000004
【図３】
2008131303.tif 000005
【図４】
2008131303.tif 000006
【図５】
2008131303.tif 000007
【図６】
2008131303.tif 000008
【図７】
2008131303.tif 000009
【図８】
2008131303.tif 000010
【図９】
2008131303.tif 000011
【図１０】
2008131303.tif 000012